(57)【要約】【課題】ＬＥＤ用封止材料について、ＬＥＤ装置を製造したときに当該ＬＥＤ装置による光の色度座標を小さい誤差範囲で予測可能なＬＥＤ用封止材料の発光特性測定装置を提供することにある。【解決手段】透明な液状の熱硬化性樹脂中に蛍光体物質が含有されたＬＥＤ用封止材料の発光特性測定装置であって、ＬＥＤ用封止材料が収容された透明な容器が挿入される容器挿入用開口を有し、内面が光拡散反射面によって構成された、測定室を区画する筐体と、測定室内において、蛍光体物質を励起する励起光を放射する光源部と、測定室内において、ＬＥＤ用封止材料からの蛍光を受光する受光部と、受光部に受光された蛍光の分光スペクトルデータを取得する分光測定器と、分光スペクトルデータに基づいて、製造されるＬＥＤ装置による光の色度座標を演算する演算処理部とを備える。【選択図】  図１
2020085640.tif 000002
【特許請求の範囲】
【請求項１】
透明な液状の熱硬化性樹脂中に蛍光体物質が含有されてなる、ＬＥＤ装置における封止部材を形成するためのＬＥＤ用封止材料の発光特性測定装置であって、
前記ＬＥＤ用封止材料が収容された透明な容器が挿入される容器挿入用開口を有し、内面が光拡散反射面によって構成された、測定室を区画する筐体と、
前記測定室内において、前記蛍光体物質を励起する励起光を放射する光源部と、
前記測定室内において、前記ＬＥＤ用封止材料からの蛍光を受光する受光部と、
前記受光部に受光された蛍光の分光スペクトルデータを取得する分光測定器と、
前記分光スペクトルデータに基づいて、製造されるＬＥＤ装置による光の色度座標を演算する演算処理部と
を備えてなることを特徴とするＬＥＤ用封止材料の発光特性測定装置。
【請求項２】
前記筐体は中空の球欠体の形状を有し、当該筐体を形成する球欠体における球環の中央に前記容器挿入用開口が形成され、当該筐体を構成する球欠体における底面に、前記受光部が当該球欠体における球環に向いた姿勢で配置されていることを特徴とする請求項１に記載のＬＥＤ用封止材料の発光特性測定装置。
【請求項３】
前記筐体を形成する球欠体における底面に、前記光源部が当該球欠体における球環に向いた姿勢で配置されていることを特徴とする請求項２に記載のＬＥＤ用封止材料の発光特性測定装置。
【請求項４】
前記筐体は中空の半球体の形状を有することを特徴とする請求項２または請求項３に記載のＬＥＤ用封止材料の発光特性測定装置。
【請求項５】
前記受光部には、前記ＬＥＤ用封止材料からの蛍光を集光する凹レンズが設けられていることを特徴とする請求項１乃至請求項４のいずれかに記載のＬＥＤ用封止材料の発光特性測定装置。
【請求項６】
前記演算処理部においては、前記蛍光体物質を励起する励起光の分光スペクトルデータが記録されており、当該励起光の分光スペクトルデータと、前記受光部に受光された蛍光の分光スペクトルデータとに基づいて、製造されるＬＥＤ装置による光の色度座標を演算することを特徴とする請求項１乃至請求項５のいずれかに記載のＬＥＤ用封止材料の発光特性測定装置。
【発明の詳細な説明】
【技術分野】
【０００１】
本発明は、透明な液状の熱硬化性樹脂中に蛍光体物質が含有されてなるＬＥＤ用封止材料の発光特性測定装置に関する。
【背景技術】
【０００２】
テレビ、パソコン、スマートホン等に搭載される液晶表示パネルのバックライトや、各種の照明器具の光源として、近年、蛍光ランプや白熱電球の代わりに、ＬＥＤ素子が蛍光体物質を含有する封止部材によって封止されてなるＬＥＤ装置が用いられている。
【０００３】
図５は、ＬＥＤ装置の一例における構成を示す説明用断面図である。このＬＥＤ装置は、表面に例えば銀ペーストによって形成されたアノード５ａおよびカソード５ｂを有する基板４と、この基板４の一面上に配置されたＬＥＤ素子６と、基板４の表面においてＬＥＤ素子６を取り囲むよう配置された、金属よりなるリフレクター８とを備えてなる。ＬＥＤ素子６の電極パッド（図示省略）は、ボンディングワイヤー７を介して、基板４におけるアノード５ａおよびカソード５ｂに電気的に接続されている。リフレクター８は、内周面に光反射面が形成された、光出射側の一端（図において上端）から他端に向かって小径となるテーパー状の貫通孔８Ｈを有し、この貫通孔８Ｈ内に位置するようＬＥＤ素子６が配置されている。そして、リフレクター８の貫通孔８Ｈと基板４とによって形成された凹所内には、封止部材９がＬＥＤ素子６の表面を覆うよう充填されている。この封止部材９は、液状の硬化性樹脂中に蛍光体物質が含有されてなる封止材料を硬化することによって形成されたものである。蛍光体物質としては、ＬＥＤ素子６からの光によって励起されて蛍光を発するものが用いられている。
【０００４】
このＬＥＤ装置においては、ＬＥＤ素子６からの光と、ＬＥＤ素子からの光が封止部材９中の蛍光体物質に照射されることによって生ずる蛍光とが混合することにより、所要の色の光が得られる。例えばＬＥＤ素子６として、ピーク波長が４６０ｎｍ若しくはその近傍にある青色光を発するものを用い、蛍光体物質として、ピーク波長が５５０ｎｍ近傍にある蛍光を発する黄色蛍光体物質（例えばＹＡＧ蛍光体物質）を用いることにより、ＬＥＤ素子６が発する青色光と、封止部材９が発する黄色光とにより、疑似白色光が得られる。また、ピーク波長が３６５〜４２０ｎｍ近傍にある光を出射するものを用い、蛍光体物質として、赤色蛍光体物質、緑色蛍光体物質および黄色蛍光体物質の混合物を用いることにより、ＬＥＤ素子６が発する光と、封止部材９が発する黄色光とにより、疑似白色光が得られる。
【０００５】
上記のＬＥＤ装置の製造プロセスにおいては、液状の熱硬化性樹脂中に蛍光体物質が含有されてなるＬＥＤ用封止材料が調製され、図６に示すように、ＬＥＤ用封止材料Ｍがシリンジ状の容器１内に収容された後、当該ＬＥＤ用封止材料Ｍが基板４上に実装されたＬＥＤ素子６の表面に滴下されることにより、当該ＬＥＤ素子６を覆うよう封止材料層が形成される。その後、封止材料層を熱硬化処理することにより、ＬＥＤ素子６を覆う封止部材９が形成され、以て、ＬＥＤ装置が製造される。図６において、２は、容器１内のＬＥＤ用封止材料Ｍを押圧するピストン、３は、容器１内のＬＥＤ用封止材料Ｍを吐出するニードルである。
【０００６】
このような製造プロセスにおいて、所要の色合いの光、例えば色度座標の値が予め設定された許容範囲にある光を放射するＬＥＤ装置を得るためには、ＬＥＤ用封止材料中における蛍光体物質が、均一に分布していることが肝要である。然るに、蛍光体物質は、硬化性樹脂に比較して比重が大きく、これにより、ＬＥＤ用封止材料中において沈降しやすい。そのため、ＬＥＤ用封止材料中における蛍光体物質の分布にバラツキが生じ、このバラツキが大きい場合には、所要の色合いの光を放射するＬＥＤ装置が得られない。
【０００７】
このような事情から、シリンジ状の容器に収容されたＬＥＤ用封止材料の発光特性に基づいて、当該ＬＥＤ用封止材料によって封止されてなるＬＥＤ装置による光の色度座標や色温度を予測する発光特性測定装置が提案されている（特許文献１参照。）。
この発光特性測定装置は、容器内に収容されたＬＥＤ用封止材料に対して、蛍光体物質を励起する励起光を照射することによって生ずる蛍光を検出して分光スペクトルデータを取得し、この蛍光の分光スペクトルデータと、予め記憶されたＬＥＤ素子による光の分光スペクツトルデータとに基づいて、得られるＬＥＤ装置による光の色度座標等を予測するものである。
【０００８】
しかしながら、上記の発光特性測定装置においては、ＬＥＤ用封止材料が収容された容器に対して局所的に励起光を照射するため、例えば容器に歪みが生じていたり、容器の表面に傷が生じていたりするときには、取得される蛍光の分光スペクトルデータにバラツキが生じ、その結果、得られる色度座標の予測値の誤差が大きくなるという問題がある。
【先行技術文献】
【特許文献】
【０００９】
【特許文献１】特許第５６８９６４８号公報
【発明の概要】
【発明が解決しようとする課題】
【００１０】
本発明は以上のような事情に基づいてなされたものであり、その目的は、ＬＥＤ用封止材料について、ＬＥＤ装置を製造したときに当該ＬＥＤ装置による光の色度座標を小さい誤差範囲で予測することができるＬＥＤ用封止材料の発光特性測定装置を提供することにある。
【課題を解決するための手段】
【００１１】
本発明のＬＥＤ用封止材料の発光特性測定装置は、透明な液状の熱硬化性樹脂中に蛍光体物質が含有されてなる、ＬＥＤ装置における封止部材を形成するためのＬＥＤ用封止材料の発光特性測定装置であって、
前記ＬＥＤ用封止材料が収容された透明な容器が挿入される容器挿入用開口を有し、内面が光拡散反射面によって構成された、測定室を区画する筐体と、
前記測定室内において、前記蛍光体物質を励起する励起光を放射する光源部と、
前記測定室内において、前記ＬＥＤ用封止材料からの蛍光を受光する受光部と、
前記受光部に受光された蛍光の分光スペクトルデータを取得する分光測定器と、
前記分光スペクトルデータに基づいて、製造されるＬＥＤ装置による光の色度座標を演算する演算処理部と
を備えてなることを特徴とする。
【００１２】
本発明のＬＥＤ用封止材料の発光特性測定装置においては、前記筐体は球欠体の形状を有し、当該筐体を形成する球欠体における球環の中央に前記容器挿入用開口が形成され、当該筐体を構成する球欠体における底面に、前記受光部が当該球欠体における球環に向いた姿勢で配置されていることが好ましい。
また、前記筐体を形成する球欠体における底面に、前記光源部が当該球欠体における球環に向いた姿勢で配置されていることが好ましい。
また、前記筐体は中空の半球体の形状を有することが好ましい。
【００１３】
また、前記受光部には、前記ＬＥＤ用封止材料からの蛍光を集光する凹レンズが設けられていることが好ましい。
また、前記演算処理部においては、前記蛍光体物質を励起する励起光の分光スペクトルデータが記録されており、当該励起光の分光スペクトルデータと、前記受光部に受光された蛍光の分光スペクトルデータとに基づいて、製造されるＬＥＤ装置による光の色度座標を演算することが好ましい。
【発明の効果】
【００１４】
本発明のＬＥＤ用封止材料の発光特性測定装置においては、光源部からの励起光は、筐体の内面を構成する光拡散反射面によって均一に拡散された後、ＬＥＤ用封止材料が収容された容器における測定室内に露出する表面全面に照射される。これにより、当該容器における測定室内に露出する表面全面から蛍光が出射され、この蛍光は、筐体の内面を構成する光拡散反射面によって均一に拡散された後、受光部によって受光される。
従って、本発明のＬＥＤ用封止材料の発光特性測定装置によれば、容器に歪みが生じていたり、容器の表面に傷が生じていたりしたときにも、当該容器に収容されたＬＥＤ用封止材料について、ＬＥＤ装置を製造したときに当該ＬＥＤ装置による光の色度座標を小さい誤差範囲で予測することができる。
【図面の簡単な説明】
【００１５】
【図１】図１は、本発明に係るＬＥＤ用封止材料の発光特性測定装置の一例における構成について筐体を切断して示す説明図である。
【図２】製造されるＬＥＤ装置による光の分光分布の一例を示す図である。
【図３】国際照明委員会（ＣＩＥ）によって定められている等色関数を示す図である。
【図４】国際照明委員会によって規定されたＣＩＥ１９３１色度図である。
【図５】ＬＥＤ装置の一例における構成を示す説明用断面図である。
【図６】容器内に収容されたＬＥＤ用封止材料が基板上に実装されたＬＥＤ素子の表面に滴下される状態を示す説明図である。
【発明を実施するための形態】
【００１６】
以下、本発明のＬＥＤ用封止材料の発光特性測定装置の実施の形態について詳細に説明する。
本発明において、測定対象であるＬＥＤ用封止材料は、透明な液状の熱硬化性樹脂中に蛍光体物質が含有されてなるものである。
液状の硬化性樹脂としては、特に限定されず、シリコーン樹脂、エポキシ樹脂などを用いることができる。
蛍光体物質は、目的とするＬＥＤ装置による光の色に応じて適宜選択して用いられる。例えば青色光を放射するＬＥＤ素子を用いて白色ＬＥＤ装置を製造する場合には、黄色蛍光体を用いることができ、橙色蛍光体や赤色蛍光体を更に添加することにより、放射される光の色を調整することができる。また、黄色蛍光体の代わりに緑色蛍光体と赤色蛍光体との混合物を用いることもできる。
【００１７】
図１は、本発明に係るＬＥＤ用封止材料の発光特性測定装置の一例における構成について筐体を切断して示す説明図である。
このＬＥＤ用封止材料の発光特性測定装置（以下、単に「測定装置」ともいう。）は、ＬＥＤ用封止材料Ｍの発光特性の測定が実行される測定室Ｒを区画する筐体１０を備えている。この筐体１０は、中空の球欠体の形状を有し、図示の例では、中空の半球体の形状である。
筐体１０の内面１１は、光拡散反射面によって構成されている。光拡散反射面を構成する手段としては、白色塗料を塗布する手段などが挙げられる。
筐体１０を形成する球欠体における球環１２の中央には、透明な円形のシリンジ状の容器１が挿入される容器挿入用開口１３が形成されている。また、測定室Ｒ内には、筐体１０を形成する球欠体における底面１４の中央位置に、容器挿入用開口１３に挿入された容器１を上下方向に伸びる姿勢で保持する保持部材１５が設けられている。ここで、容器１内には、測定対象であるＬＥＤ用封止材料Ｍが収容されている。
【００１８】
測定室Ｒ内において、筐体１０を形成する球欠体における底面１４には、光源部２０が、筐体１０を形成する球欠体における球環１２に向いた姿勢で配置され、更に、当該底面１４には、ＬＥＤ用封止材料Ｍからの蛍光を受光する受光部３０が、筐体１０を形成する球欠体における球環１２に向いた姿勢で配置されている。光源部２０が球環１２に向いた姿勢で配置されていることにより、光源部２０からの光が容器１に直接入射することを抑制することができる。また、受光部３０が、球環１２に対向して配置されていることにより、容器１内のＬＥＤ用封止材料Ｍからの光が受光部３０に直接入射することを抑制することができる。
また、筐体１０を形成する球欠体における底面１４には、例えば保持部材１５と光源部２０との間の位置に、照度センサ２５が配置されている。
【００１９】
光源部２０は、ＬＥＤ用封止材料Ｍ中の蛍光体物質を励起する励起光を放射するＬＥＤ素子を備えてなる。例えば製造すべきＬＥＤ装置が白色ＬＥＤ装置であり、ＬＥＤ用封止材料Ｍ中の蛍光体物質が黄色蛍光体である場合には、光源部２０を構成するＬＥＤ素子として、青色ＬＥＤ素子が用いられる。
【００２０】
図示の例の受光部３０は、光を集光する凹レンズ３１と、この凹レンズ３１を保持する光コネクタ３２とを有する。受光部３０に凹レンズ３１が設けられていることにより、容器１に歪みが生じていたり，容器１の表面に傷が生じていたりする場合でも、ＬＥＤ用封止材料Ｍからの蛍光について、誤差がより小さい分光スペクトルデータを取得することができる。
【００２１】
受光部３０は、ファイバーコネクタ３６によって光ファイバー３５の一端に接続されている。光ファイバー３５の他端には、ファイバーコネクタ３７によって、筐体１０の外部に設けられた分光測定器４０が接続されている。この分光測定器４０は、受光部３０に受光された蛍光の分光スペクトルデータを取得するものである。
【００２２】
分光測定器４０には、当該分光測定器４０によって取得された分光スペクトルデータに基づいて、製造されるＬＥＤ装置による光の色度座標を演算する演算処理部５０が電気的に接続されている。この演算処理部５０には、ＬＥＤ用封止材料Ｍ中の蛍光体物質を励起する励起光の分光スペクトルデータ、例えば製造すべきＬＥＤ装置が、青色ＬＥＤ素子と黄色蛍光体を含有する封止部材とを備えた白色ＬＥＤ装置である場合には、当該青色ＬＥＤ素子による光の分光スペクトルデータが記録されている。
【００２３】
以下、上記の測定装置の動作について、製造すべきＬＥＤ装置が、ピーク波長が４６０ｎｍ近傍にある青色ＬＥＤ素子と、ピーク波長が５５５ｎｍ近傍にある黄色蛍光体を含有する封止部材とを備えた白色ＬＥＤ装置である場合を例に挙げて説明する。
【００２４】
先ず、ＬＥＤ用封止材料Ｍが収容された容器１が、筐体１０の容器挿入用開口１３に挿入され、当該容器１が、保持部材１５によって上下方向に伸びる姿勢で保持される。
次いで、光源部２０が点灯すると、当該光源部２０からの励起光（青色光）は、筐体１０における内面によって拡散反射される。これにより、測定室Ｒ内に露出する容器１の表面全面に励起光が均一に照射され、容器１内に収容されたＬＥＤ用封止材料Ｍから蛍光（黄色光）が当該容器１の表面全面から放射される。この蛍光は、筐体１０における内面によって拡散反射される。
【００２５】
一方、受光部３０には、光源部２０からの励起光およびＬＥＤ用封止材料Ｍからの蛍光の両方が受光される。受光部３０に受光される蛍光は、筐体１０における内面によって拡散反射されたものであるため、容器１の表面全面から放射された蛍光が均一化されたものである。このように、受光部３０に受光された光は、光ファイバー３５を介して分光測定器４０に導入され、受光された光の分光スペクトルデータが取得される。この分光スペクトルデータは、演算処理部５０に送信される。
【００２６】
そして、演算処理部５０においては、以下のようにして、製造されるＬＥＤ装置による光の色度座標の予測値が演算される。
先ず、演算処理部５０に送信された分光スペクトルデータは、光源部２０からの励起光とＬＥＤ用封止材料Ｍからの蛍光との混光の分光分布に係るデータであるため、当該分光分布から励起光の分光分布を除去することにより、ＬＥＤ用封止材料Ｍからの蛍光の分光スペクトルデータが作成される。具体的には、励起光はピーク波長が４６０ｎｍ近傍にある青色光であり、蛍光はピーク波長が５５５ｎｍ近傍にある黄色光であるため、例えば波長５００ｎｍ以下の分光分布がカットされる。
【００２７】
このようにして作成された蛍光の分光スペクトルデータと、予め演算処理部５０に記録された蛍光体物質を励起する励起光の分光スペクトルデータとに基づいて、製造されるＬＥＤ装置による光の色度座標が演算される。
【００２８】
この色度座標の演算処理は、国際照明委員会（ＣＩＥ）が規定するＸＹＺ表色系色度図に基づいて行われる。
具体的に説明すると、製造されるＬＥＤ装置による光（白色光）は、励起光（青色ＬＥＤ素子による青色光）と蛍光（黄色蛍光体による黄色光）との合成光であることから、ＬＥＤ装置による光の分光分布Ｓ0（λ）と、励起光の分光分布Ｓ1（λ）と、蛍光の分光分布Ｓ2（λ）とは、下記式１を満たすものである。図２に、製造されるＬＥＤ装置による光の分光分布の一例を示す。
【００２９】
【数１】
2020085640.tif 000003
【００３０】
ここで、ＸＹＺ表色系色度図は、ＪＩＳ  Ｚ  ８７２４「色の測定方法−光源色」として定められている、下記式２に示す演算式に従って算出される三刺激値（Ｘ，Ｙ，Ｚ）を用いて規定される。下記式２は、可視領域（３８０ｎｍ〜７８０ｎｍ，λ1 ＝３８０，λ2 ＝７８０）にある各波長成分の強度に対応する等色関数の値を乗じた値を積算するものである。図３は、国際照明委員会（ＣＩＥ）によって定められている等色関数を示す図であり、等色関数は、人間の目における分光感度を表現したものに相当する。
【００３１】
【数２】
2020085640.tif 000004
【００３２】
上記式２において、刺激値Ｙの値は、ＬＥＤ装置による明るさ（輝度）に相当する値である。
Ｋは、ＬＥＤ用封止材料Ｍにおける蛍光体物質による蛍光と、ＬＥＤ装置を製造するために用いられる青色ＬＥＤ素子の発光との合成光の輝度の絶対値と一致するように設定される係数である。
刺激値Ｘおよび刺激値Ｙの値は色度座標（ｘ，ｙ）を算出するために用いられ、色度座標（ｘ，ｙ）は、下記式３に示す演算式に従って算出される。この式３から、全ての可視光線の光源色の色度座標（ｘ，ｙ）が、１９３１年ＣＩＥによって定義されている。
【００３３】
【数３】
2020085640.tif 000005
【００３４】
そして、励起光の分光分布Ｓ1 （λ）に基づいて、上記式２および上記式３により、励起光の三刺激値（Ｘ1 ，Ｙ1 ，Ｚ1 ）および色度座標Ｐ1 （ｘ1 ，ｙ1 ）が算出される。また、蛍光の分光分布Ｓ2 （λ）に基づいて、上記式２および上記式３により、蛍光の三刺激値（Ｘ2 ，Ｙ2 ，Ｚ2 ）および色度座標Ｐ2 （ｘ2 ，ｙ2 ）が算出される。
【００３５】
上記式１に示すように、製造されるＬＥＤ装置による光の分光分布Ｓ0 （λ）は、励起光の分光分布Ｓ1 （λ）と蛍光の分光分布Ｓ2 （λ）との和であるから、ＬＥＤ装置による光の三刺激値（Ｘ0 ，Ｙ0 ，Ｚ0 ）と、励起光の三刺激値（Ｘ1 ，Ｙ1 ，Ｚ1 ）と、蛍光の三刺激値（Ｘ2 ，Ｙ2 ，Ｚ2 ）とは、下記式４の関係を満たすものである。
【００３６】
【数４】
2020085640.tif 000006
【００３７】
そして、励起光の三刺激値（Ｘ1 ，Ｙ1 ，Ｚ1 ）および蛍光の三刺激値（Ｘ2 ，Ｙ2 ，Ｚ2 ）に基づいて、上記式４により、製造されるＬＥＤ装置による光の三刺激値（Ｘ0 ，Ｙ0 ，Ｚ0 ）が求められる。
【００３８】
また、Ａ＝Ｘ＋Ｙ＋Ｚ、Ａ1 ＝Ｘ1 ＋Ｙ1 ＋Ｚ1 、Ａ2 ＝Ｘ2 ＋Ｙ2 ＋Ｚ2 と定義すると、Ａ＝Ａ1 ＋Ａ2 であるから、上記式３より、下記式５が求められる。
【００３９】
【数５】
2020085640.tif 000007
【００４０】
また、下記式６を定義すると、上記式３〜上記式５および下記式６により、製造されるＬＥＤ装置による光の色度座標Ｐ0 （ｘ0 ，ｙ0 ）は、下記式７により求められる。
【００４１】
【数６】
2020085640.tif 000008
【００４２】
【数７】
2020085640.tif 000009
【００４３】
このようにして、励起光の分光スペクトルデータと、蛍光の分光スペクトルデータとに基づいて、製造されるＬＥＤ装置による光の三刺激値（Ｘ0 ，Ｙ0 ，Ｚ0 ）および色度座標Ｐ0 （ｘ0 ，ｙ0 ）が演算される。
【００４４】
以上において、励起光の分光スペクトルデータは、適宜の分光測定器を用いて取得しても、本発明の測定装置を用いて取得してもよい。
励起光の分光スペクトルデータに係る分光分布の波高（分光の強度の振幅の大きさ）は、例えば以下のようにして調整することができる。
【００４５】
上記式７に示す２つの式から、Ｋ1 を消去すると、下記式８が得られる。
【００４６】
【数８】
2020085640.tif 000010
【００４７】
図４は、国際照明委員会によって規定されたＣＩＥ１９３１色度図である。
この図において、横軸および縦軸は、それぞれｘおよびｙの色度である。横軸については、ｘの値が大きくなるに従って「赤み」の比率が増し、ｘの値が小さくなるに従って「青み」の比率が増すことを示している。一方、縦軸については、ｙの値が大きくなるに従って「緑み」の比率が増し、ｙの値が小さくなるに従って「青み」の比率が増すことを示している。
また、馬蹄型の曲線ａは単色光の色度座標を連ねたスペクトル軌跡である。このスペクトル軌跡に□でプロットされた個所の数字は、単色光の波長（ｎｍ）を示している。スペクトル軌跡の両端に位置する単色光の波長は、それぞれ３８０ｎｍおよび７８０ｎｍである。
また、スペクトル軌跡の両端を結ぶ直線ｂは、純紫軌跡である。
また、スペクトル軌跡と純紫軌跡とによって囲まれた範囲内にある弧状の曲線ｃは、各絶対温度における黒体の色度座標を連ねた黒体軌跡である。この黒体軌跡上に示された数字は黒体の絶対温度（Ｋ）であり、〇でプロットされた個所は、それぞれ昼光色蛍光ランプ（色温度＝６５００Ｋ）、白色蛍光ランプ（色温度＝４２００Ｋ）、白熱電球（色温度＝２８５０Ｋ）の光源色の色度座標である。
【００４８】
上記式８は、励起光の色度座標Ｐ1 （ｘ1 ，ｙ1 ）と蛍光の色度座標Ｐ2 （ｘ2 ，ｙ2 ）とを結ぶ直線（図３においてＬで示す。）に係る関数であり、製造されるＬＥＤ装置による光の色度座標Ｐ0 （ｘ0 ，ｙ0 ）は、理論上、直線Ｌ上の位置にある。
白色ＬＥＤ装置においては、通常、光源色が黒体軌跡に近い色温度を有する色度値であることが目標とされることから、例えば直線Ｌと黒体軌跡に係る曲線ｃとの交点が目標とされる色度座標である。
【００４９】
そして、例えば目標の色度座標またはその近傍の光を放射するＬＥＤ装置から、蛍光の標準分光スペクトルデータを取得しておき、この標準分光スペクトルデータと、目標の色度座標とに基づいて、励起光の分光スペクトルデータに係る分光分布の波高が決定される。
また、蛍光の標準分光スペクトルデータの取得が困難な場合には、複数（例えば１０）のＬＥＤ用封止材料のサンプルについて、それぞれの蛍光の分光スペクトルデータを測定し、これらの蛍光の分光スペクトルデータと励起光の分光スペクトルデータとを組み合わたときに、色度座標の値が許容範囲内となる数が最多となる励起光を見出し、この励起光分光スペクトルデータに係る分光分布から波高を決定してもよい。
【００５０】
以上説明したように、本発明のＬＥＤ用封止材料の発光特性測定装置においては、光源部２０からの励起光は、筐体１０の内面１１を構成する光拡散反射面によって均一に拡散された後、ＬＥＤ用封止材料Ｍが収容された容器１における測定室Ｒ内に露出する表面全面に照射される。これにより、当該容器１における測定室Ｒ内に露出する表面全面から蛍光が出射され、この蛍光は、筐体１０の内面１１を構成する光拡散反射面によって均一に拡散された後、受光部３０によって受光される。そして、分光測定器４０によって、受光部３０に受光された蛍光の分光スペクトルデータが取得され、演算処理部５０によって、取得された蛍光の分光スペクトルデータに基づいて、製造されるＬＥＤ装置による光の色度座標Ｐ0 （ｘ0 ，ｙ0 ）が演算される。
【００５１】
従って、本発明のＬＥＤ用封止材料の発光特性測定装置によれば、容器１に歪みが生じていたり、容器１の表面に傷が生じていたりしたときにも、当該容器１に収容されたＬＥＤ用封止材料Ｍについて、ＬＥＤ装置を製造したときに当該ＬＥＤ装置による光の色度座標Ｐ0 （ｘ0 ，ｙ0 ）を小さい誤差範囲で予測することができる。
【００５２】
以上、本発明の実施形態について説明したが、本発明は上記の実施形態に限定されるものではなく、種々の変更を加えることができる。
筐体の形状は特に限定されず、例えば中空の直方体や円錐台の形状のものであってもよいが、光をより均一に拡散することができる点で、図１に示す例のように、中空の球欠体の形状、特に中空の半球体の形状を有するものであることが好ましい。
測定対象のＬＥＤ用封止材料は、黄色蛍光体物質が単独で含有されたものに限定されず、互いに発光色の異なる複数種の蛍光体物質が含有されたもの、また、近紫外ＬＥＤ素子と組み合わせて用いられる、赤色蛍光体物質、緑色蛍光体物質および青色蛍光体物質が含有されたものであってもよい。
封止材料が収容される容器は、シリンジ状のものに限定されず、例えばカップ状のものであってもよい。また、容器の材質は、光源部からの励起光および蛍光体物質による蛍光を透過する特性を有するものであればよい。
【符号の説明】
【００５３】
１    容器
２    ピストン
３    ニードル
４    基板
５ａ  アノード
５ｂ  カソード
６    ＬＥＤ素子
７    ボンディングワイヤー
８    リフレクター
８Ｈ  貫通孔
９    封止部材
１０  筐体
１１  内面
１２  球環
１３  容器挿入用開口
１４  底面
１５  保持部材
２０  光源部
２５  照度センサ
３０  受光部
３１  凹レンズ
３２  光コネクタ
３５  光ファイバー
３６  ファイバーコネクタ
３７  ファイバーコネクタ
４０  分光測定器
５０  演算処理部
Ｍ    ＬＥＤ用封止材料
Ｒ    測定室
【図１】
2020085640.tif 000011
【図２】
2020085640.tif 000012
【図３】
2020085640.tif 000013
【図４】
2020085640.tif 000014
【図５】
2020085640.tif 000015
【図６】
2020085640.tif 000016